(57)【要約】【課題】シャーシに対し冷却用ファンを使用しなくても所要の冷却性を確保できるリアプロジェクションを提供する。【解決手段】上側キャビネット５の底面側の底壁部５ａと、下側キャビネット６の上面側の上壁部６ａとの相互間に設けた隙間により通風路１７を形成する。通風路１７に対応する下側キャビネット６の上壁部６ａに通気孔６ｃを形成する。下側キャビネット６の側面側の側壁部および底面側の底壁部６ｄに通気孔６ｅを形成する。下側キャビネット６の上壁部６ａに形成された通気孔６ｃの下方に対応して、シャーシ２を配置する。【選択図】図１
2008256763.tif 000002
【特許請求の範囲】
【請求項１】
下側キャビネットの上部に上側キャビネットが一体的に取り付けられて全体的に箱形状とされ、この下側キャビネット内部に、光源を有しこの光源から射出された光束を画像情報に応じて変調して画像を形成する光学ユニットと、この光学ユニットを駆動するための電気部品を搭載した回路基板を有するシャーシとが収納されたリアプロジェクションにおいて、
前記上側キャビネットの底面側の底壁部と、前記下側キャビネットの上面側の上壁部との相互間に設けられた隙間により通風路が形成され、
前記通風路に対応する前記下側キャビネットの前記上壁部に通気孔が形成されると共に、下側キャビネットの側面側もしくは底面側のいずれか一方の壁部、もしくは双方の壁部に通気孔が形成され、
前記下側キャビネットの前記上壁部に形成された前記通気孔の下方に対応して、前記シャーシを配置したことを特徴とするリアプロジェクション。
【請求項２】
前記通風路は、前記リアプロジェクションの背面側に開放状とされると共に、その背面方向に対して漸次上向傾斜状に形成されていることを特徴とする請求項１に記載のリアプロジェクション。
【請求項３】
前記通風路の上下面をそれぞれ形成する前記上側キャビネットの前記底壁部および前記下側キャビネットの前記上壁部は、それぞれ平坦な平面形状とされていることを特徴とする請求項１または請求項２に記載のリアプロジェクション。
【請求項４】
前記通風路の上下面をそれぞれ形成する前記上側キャビネットの前記底壁部もしくは前記下側キャビネットの前記上壁部のいずれか一方の壁部が、平坦な平面形状とされ、他方の壁部に通風路の延設方向に沿った凹溝部が備えられていることを特徴とする請求項１または請求項２に記載のリアプロジェクション。
【請求項５】
前記通風路の上下面をそれぞれ形成する前記上側キャビネットの前記底壁部および前記下側キャビネットの前記上壁部に、通風路の延設方向に沿った凹溝部がそれぞれ備えられていることを特徴とする請求項１または請求項２に記載のリアプロジェクション。
【発明の詳細な説明】
【技術分野】
【０００１】
本発明は、キャビネット内部に少なくとも、画像を投射する光学ユニットとこの光学ユニットを駆動する電気回路を搭載したシャーシを備え、一体的に取り付けて箱形状をなすように構成された上下二つのキャビネットを備えたリアプロジェクションに関するものである。
【背景技術】
【０００２】
近年、この種の光学ユニットは投射時に発熱するランプユニットを有する構造とされており、これらの冷却のために、例えば、ファンなどを使用して強制的に空気を排出する手段が講じられることが一般的となってきている。
【０００３】
加えて、近年ではデザイン性も、より商品価値を高める要素とされ、デザインの観点から、光学ユニットやシャーシを収納する下側キャビネットも、その大きさをより小さくすることが求められ、下側キャビネットの高さが減少していく傾向にある。
【０００４】
このことに伴い、光学ユニットと比較すれば比較的低温な発熱部品を搭載したシャーシにおいても、このキャビネット内高さの減少に伴い、背面端子板と背面蓋の高さの差が少なくなり、自然対流で空気の排気口としていた、背面蓋に形成する放熱孔の面積が十分にとれず、例えば、ファンなどを使用した強制的な空気の排気を余儀なくされることも少なくない。
【０００５】
そのため、特許文献１に示されるように、キャビネットの背面に窪み部を形成し、その窪み部に貫通孔を穿設して、この貫通孔からキャビネット内に収納された電気部品を搭載したシャーシから発生した熱を排気するリアプロジェクションテレビが提案されている。
【０００６】
【特許文献１】特開２００２−１９９３０７号公報
【発明の開示】
【発明が解決しようとする課題】
【０００７】
特許文献１に開示の構造によれば、キャビネットに貫通孔を形成して下側キャビネット内の熱を外部に排出する構造となっているが、この排気口となる貫通孔をキャビネットに設ける際に、その排気効果を得るために、上側キャビネットと下側キャビネットとを仕切る部分に窪み部を設け、この窪み部に貫通孔を設けている。
【０００８】
しかしながら、その構造上、光学ユニット等に阻まれ、あるいはキャビネットの保持構造上、極端に大きな窪み部を設けることができず、従って、排気口となる貫通孔の面積をシャーシの上方全域にわたる程度に十分に確保することができないため、上述の如く、ファンなどを使用した強制的な排気が必要になる可能性があるという問題が考えられる。
【０００９】
また、この貫通孔を設けた面が上向きに配置されると共に、その上方がオープン状態とされているため、貫通孔からのゴミやほこりなどの侵入の懸念も考えられる。
【００１０】
そこで、本発明は、かかる問題に鑑みてなされたものであり、シャーシに対し冷却用ファンを使用しなくても所要の冷却性を確保できるリアプロジェクションを提供することを目的にするものである。
【課題を解決するための手段】
【００１１】
本発明に係る請求項１記載のリアプロジェクションは、下側キャビネットの上部に上側キャビネットが一体的に取り付けられて全体的に箱形状とされ、この下側キャビネット内部に、光源を有しこの光源から射出された光束を画像情報に応じて変調して画像を形成する光学ユニットと、この光学ユニットを駆動するための電気部品を搭載した回路基板を有するシャーシとが収納されたリアプロジェクションにおいて、前記上側キャビネットの底面側の底壁部と、前記下側キャビネットの上面側の上壁部との相互間に設けられた隙間により通風路が形成され、前記通風路に対応する前記下側キャビネットの前記上壁部に通気孔が形成されると共に、下側キャビネットの側面側もしくは底面側のいずれか一方の壁部、もしくは双方の壁部に通気孔が形成され、前記下側キャビネットの前記上壁部に形成された前記通気孔の下方に対応して、前記シャーシを配置した点にある。
【発明の効果】
【００１２】
本発明に係る請求項１記載のリアプロジェクションによれば、上側と下側の二つのキャビネットを取り付ける際に互いに重なり合う、上側キャビネットの底面側の底壁部と下側キャビネットの上面側の上壁部との相互間に、隙間を設けて空気の通り道となる通風路を構成しているため、従来のような窪み部を設けなくても、シャーシで放熱された熱気は上昇気流によって上方の上壁部に形成された通気孔を通じて通風路に案内され、通風路を通じて外部に排出される。そして、この熱せられた空気の排出に伴って下側キャビネットの側面側や底面側に形成された通気孔を通じて新たに空気が進入する。ここに、空気の自然対流による流路が構成され、シャーシから発生する熱を効率よく外部に排出することができる。
【００１３】
そして、互いに重なり合う、上側キャビネットの底面側の底壁部と下側キャビネットの上面側の上壁部との相互間に、隙間を設けて通風路を構成しているため、保持構造上において影響を受けることなく、シャーシの上方全域をカバーできる通風路を配置でき、従って、シャーシの冷却効果を高めることができ、少なくともシャーシにおいては冷却用ファンを使用しなくても所要の冷却性を確保できる利点がある。
【発明を実施するための最良の形態】
【００１４】
＜実施の形態＞
以下、本発明の実施の形態を図面に基づいて説明すると、図１は本実施の形態に係るリアプロジェクション１の概略構成を示すシャーシ２部分を主要とした概略縦断面側面図、図２はリアプロジェクション１の概略側面図、図３はリアプロジェクション１の概略背面図、図４はリアプロジェクション１の光学ユニット３部分を主要とした概略縦断面側面図である。
【００１５】
リアプロジェクション１は、光学ユニット３から射出された光束を画像情報に応じて変調した光学像をスクリーン４に拡大投写するもので、筐体を構成する上側キャビネット５と下側キャビネット６およびフロントパネル７と、下側キャビネット６内に配置されたシャーシ２および光学ユニット３と、背面蓋８と、上側キャビネット５内に配置されて光学ユニット３からの光学像を反射するミラー９と、フロントパネル７内に配置されて光学像を投影するスクリーン４などにより主構成されている。
【００１６】
上側キャビネット５や下側キャビネット６やフロントパネル７は軽量化を目的としてプラスチックなどによって成形されており、上側キャビネット５は、下側キャビネット６の上部に図示しないネジなどによって一体的に取り付けられて固定され、図１に示すように全体的に箱形状に構成されている。また、フロントパネル７も、上側キャビネット５や下側キャビネット６に図示しないネジなどによって固定されている。さらに、下側キャビネット６内には、光学ユニット３やシャーシ２が図示しないネジなどによって固定され、下側キャビネット６の背面側に形成された開口部を塞いで背面蓋８が図示しないネジなどによって固定されている。
【００１７】
また、同様に上側キャビネット５内には、ミラー９が図示しない取り付け部材やネジなどによって、フロントパネル７内には、スクリーン４が、これも図示しない取り付け部材やネジなどによって固定されている。
【００１８】
光学ユニット３は光源を有し、その光源から射出された光束を画像情報に応じて変調し、画像を形成して投射するものである。そして、図４に示すように、光学ユニット３が下側キャビネット６内に配置される際に、下側キャビネット６の上面側の上壁部６ａに設けられた開口部６ｂより下側キャビネット６の外側に一部飛び出した状態で装着されている。また、上側キャビネット５の底面側の底壁部５ａに設けられた開口部５ｂより、光学ユニット３の前記飛び出した部分が上側キャビネット５の内部に入り込む形で、下側キャビネット６の上部に上側キャビネット５が取り付けられている。
【００１９】
さらに、光学ユニット３に設けられたカラー１１やカラー１１の上面に設けられたフォーム材などからなる緩衝性をもったカバー１２によって、下側キャビネット６に設けられた開口部６ｂを塞ぐように構成されている。このことにより、上側キャビネット５と下側キャビネット６との相互間が簡易的な気密を保って仕切る構造とされている。
【００２０】
次に、本実施の形態の主要な構成について詳述する。リアプロジェクション１における下側キャビネット６には、光学ユニット３とシャーシ２が収納される構造とされ、下側キャビネット６の中央部に光学ユニット３が配置され、この光学ユニット３に干衝しないように、シャーシ２は、下側キャビネット６の右側、あるいは左側に配置されるようになっている。本実施の形態においては、下側キャビネット６の右側にシャーシ２を配置している例を記載している。なお、便宜上、リアプロジェクション１の前面方向からみて右側、左側を区別するものとする。
【００２１】
そして、シャーシ２には、光学ユニット３を駆動制御する各種電気回路を構成する電気部品１３を搭載したプリント基板からなる回路基板１４や外部機器接続用の背面端子板１５などが備えられている。
【００２２】
前記下側キャビネット６の上壁部６ａにおけるシャーシ２が配置された上方の位置に対応した領域には、空気流通用の通気孔６ｃが適宜大きさで適宜数形成されている。また、下側キャビネット６の底面側の底壁部６ｄには、外気流入用の通気孔６ｅが適宜大きさで適宜数形成され、下側キャビネット６の側面側の両側壁部６ｆにも、図２に示すように外気流入用の通気孔６ｇが適宜大きさで適宜数形成されている。
【００２３】
前記上側キャビネット５の底壁部５ａには、下側キャビネット６に一体的に取り付けられた際に、下側キャビネット６の上壁部６ａとの相互間に任意の寸法の隙間が設けられるように、シャーシ２が配置された上方位置に対応した部分、即ち通気孔６ｃが形成された領域部分で、上向きに凹状とされた凹設部５ｃが前後方向に沿って備えられている。そしてこの相互間に設けられた隙間によって、上側キャビネット５の底壁部５ａと下側キャビネット６の上壁部６ａで、図１ないし図３に示すような前後方向に延びる扁平なダクト状の通風路１７が形成された構造とされている。従って、通風路１７における上下に対向する上側キャビネット５の底壁部５ａと下側キャビネット６の上壁部６ａは、それぞれ平坦な平面形状とされて、互いに平行状に配置されている。
【００２４】
また、上側キャビネット５の底壁部５ａおよび下側キャビネット６の上壁部６ａは、背面方向に対して漸次上向傾斜状に構成されており、ここに、通風路１７は背面方向に対して漸次上向傾斜状とされると共に、リアプロジェクション１の背面側に開放状とされた構造となっている。さらに、上側キャビネット５と下側キャビネット６との取り付け状態において、上側キャビネット５の背面側下部は下側キャビネット６の後端よりも後方に張り出した構造とされている。
【００２５】
本実施の形態は以上のように構成されており、リアプロジェクション１において、シャーシ２の電気部品１３、特にその発熱部品から発せられた熱は、上昇気流となって上方に上昇し、上方に位置する下側キャビネット６の上壁部６ａに形成された各通気孔６ｃを通じて通風路１７に流入し、通風路１７を通って背面側から外部へと排出される。
【００２６】
また、この排出に伴って、下側キャビネット６における底壁部６ｄの各通気孔６ｅや側壁部６ｆの各通気孔６ｇから外気が下側キャビネット６内へ取り込まれ、ここに空気の自然対流による流路が構成され、下側キャビネット６内が効率的に換気される。そして、この換気サイクルにより、シャーシ２から発生する熱を効率よく外部に排出することができるため、シャーシ２の冷却が効率的になされる。
【００２７】
さらに、互いに重なり合う、上側キャビネット５の底壁部５ａと下側キャビネット６の上壁部６ａとの相互間で、かつシャーシ２が配置された位置の上方に対応して、隙間を設けて通風路１７を構成しているため、保持構造上において影響を受けることなく、シャーシ２の上方全域をカバーできる通風路１７を配置でき、このことにより、シャーシ２の冷却効果を高めることができ、少なくともシャーシ２においては冷却用ファンを使用しなくても所要の冷却性を確保できる利点がある。
【００２８】
また、通風路１７は、背面方向に対して漸次上向傾斜状とされているため、上壁部６ａの各通気孔６ｃを通じて進入した加熱された空気は、通風路１７の傾斜に沿って背面側に円滑に案内され、開放端より外部に排出される。従って、自然対流による下側キャビネット６内の換気がより円滑になされ、この点においてもシャーシ２の冷却効率が向上する。
【００２９】
この際、通風路１７の上面を構成する上側キャビネット５の底壁部５ａが、平坦な平面形状とされているため、通風路１７に進入した空気の背面方向への移動が円滑になされ、この点からも冷却性能が向上する。
【００３０】
また、上側キャビネット５の背面側下部は下側キャビネット６の後端よりも後方に張り出した構造とされているため、通風路１７の開放端は、リアプロジェクション１の平面視で、上側キャビネット５の後方下端よりも前方に位置する隠れた位置にあり、下側キャビネット６の上壁部６ａにおける通気孔６ｃを通じてのゴミやほこりなどの侵入が有効に防止できる。
【００３１】
なお、上記実施の形態においては、下側キャビネット６における外気流入用の通気孔６ｅ，６ｇを底壁部６ｄと側壁部６ｆの双方に設けた構造とされているが、十分な換気効果が見込まれる場合には、いずれか片方に設ける構造であってもよい。
【００３２】
また、本実施の形態においては、下側キャビネット６の上壁部６ａの通気孔６ｃを多数、例えば格子状に設けた構造としているが、適用される安全性基準などに適用する範囲で、例えば一連の開口などで実施してもよい。この場合、シャーシ２のための放熱開口がより大きくなり、シャーシ２の冷却性能がより向上する。
【００３３】
さらに、本実施の形態においては、背面蓋８に空気の排気口となる放熱孔を設けていないが、収納するシャーシ２との関係で、十分なスペースがとれる場合には、シャーシ２の上部にあたる位置に放熱孔を設ける構造としてもよい。
【００３４】
＜他の実施の形態＞
また、上記実施の形態においては、上側キャビネット５の底壁部５ａと下側キャビネット６の上壁部６ａとの相互間に隙間を設けると共に互いに平行で平坦な平面形状として、扁平状の空気の通り道となる通風路１７を構成しているが、デザイン的な制約が許される範囲において、図３に仮想線で示されるような凹溝部１９を、通風路１７の延設方向に沿って、底壁部５ａもしくは上壁部６ａのどちらかの一方の壁部５ａ、あるいは双方の壁部５ａ，６ａに設ける構造としてもよい。
【００３５】
この場合、通風路１７の開口面積がより大きくなり、空気の流通量がより多くなるため、シャーシ２の冷却性能のより向上が見込める。
【００３６】
＜産業上の利用可能性＞
本発明の適用例として、例えば、下側キャビネットと上側キャビネットを有し、この下側キャビネット内にシャーシを配置する構成のプロジェクションテレビに適用できる。
【図面の簡単な説明】
【００３７】
【図１】本発明の実施の形態に係るリアプロジェクションのシャーシ部分の概略縦断面側面図である。
【図２】リアプロジェクションの概略側面図である。
【図３】リアプロジェクションの概略背面図である。
【図４】リアプロジェクションの概略縦断面側面図である。
【符号の説明】
【００３８】
１  リアプロジェクション、２  シャーシ、３  光学ユニット、５  上側キャビネット、５ａ  底壁部、６  下側キャビネット、６ａ  上壁部、６ｃ  通気孔、６ｄ  底壁部、６ｅ  通気孔、６ｆ  側壁部、６ｇ  通気孔、１３  電気部品、１４  回路基板、１７  通風路、１９  凹溝部。
【図１】
2008256763.tif 000003
【図２】
2008256763.tif 000004
【図３】
2008256763.tif 000005
【図４】
2008256763.tif 000006